(57)【要約】【課題】トレーの板厚を薄くしてもトレーの撓みが抑えられて、上段側のトレーが下段側のトレーに収容された電子部品に当たらないようにする。【解決手段】トレー６の上板６ａに設けた各収容部７に組電池１をそれぞれ収容した状態で、上下複数段に積み重ねて使用する。トレー６の上板６ａには、その上板６ａの中央部から下方に向けて一対の補強部１５が膨出形成されている。トレー６を積み重ねた際には、上段のトレー６の周縁部が下段のトレー６の周縁部で支持されるとともに、上段のトレー６の各補強部１５の下端部が、下段のトレー６の各補強部１５の上端周縁で受け止め支持される。【選択図】図１
2007145376.tif 000002
【特許請求の範囲】
【請求項１】
上板に設けた収容部に電子部品を収容した状態で、上下複数段に積み重ねて使用する電子部品収容用トレーにおいて、
前記上板の中央部から下方に向けて補強部が膨出形成されており、
前記トレーを積み重ねた際には、上段の前記トレーの周縁部が下段の前記トレーの周縁部で支持されるとともに、上段の前記トレーの前記補強部の下端部が下段の前記トレーの前記補強部の上端部で受け止め支持されることを特徴とする電子部品収容用トレー。
【請求項２】
前記補強部は、上端面が開口する中空の筒状に形成されており、
前記上板の前記周縁部は、前記上板の上側へ膨出した枠部と、前記上板の下側へ垂設した周側板とを含み、
前記周側板の上下中間には、係止部が内向きに膨出形成してあり、
前記トレーを積み重ねた際には、上段の前記トレーの前記周側板の内側に下段の前記トレーの前記枠部が入り込んで、下段の前記トレーの前記枠部に上段の前記トレーの前記係止部が載ることで、上段の前記トレーの前記周縁部が下段の前記トレーの前記周縁部で支持されるとともに、上段の前記トレーの前記補強部の下端が、下段の前記トレーの前記補強部の上端周縁で受け止められる請求項１記載の電子部品収容用トレー。
【請求項３】
前記補強部は、前記上板の中央部において所定間隔をあけて複数個配されており、
前記各補強部の周側板が、前記上板から下方へ向けて垂直に延びている請求項２記載の電子部品収容用トレー。
【請求項４】
前記各補強部の前記周側板の断面が、基礎円部の周方向において４個の膨出円弧部が等間隔をあけて外向きに膨出された形状に形成されている請求項３記載の電子部品収容用トレー。
【請求項５】
前記収容部が、複数個形成されており、
前記上板には、横方向に延びる複数本の溝が形成されており、
前記各溝は、前記各収容部の横方向の両側からそれぞれ横向きに延びていて、前記溝で隣合う収容部どうしが繋がるように形成されており、
前記各溝は、前記収容部よりも深くなるよう形成されている請求項４記載の電子部品収容用トレー。
【発明の詳細な説明】
【技術分野】
【０００１】
本発明は、電池などの電子部品を収容するための電子部品収容用トレーに関する。
【背景技術】
【０００２】
特許文献１・２には、電池を縦横に整列させて収容するトレーが開示されている。特許文献１では、トレー上面に凹み形成した各収容部に電池をそれぞれ収容した状態で、トレーを上下複数段に重ねるようになっており、トレーを重ねた状態で搬送や保管などが行われる。
【０００３】
【特許文献１】特開２００２−３６２５６６号公報（図１−３）
【特許文献２】特開２００３−１４２０５７号公報（図１）
【発明の開示】
【発明が解決しようとする課題】
【０００４】
トレーの製造コストやトレーの重量軽減のためには、トレーの板厚を薄くすることが必要であるが、板厚を薄くすると電池の重量でトレーが撓み易くなる。このトレーの撓みが大きいと、下段のトレーに収容した電池に上段のトレーが当たって、その電池に上段側のトレーの重量が加わってしまう。この場合、電池に取り付けたリード線やコネクタなどの変形を招き、最悪の場合には電池の破損などを招くおそれがある。
【０００５】
そこで本発明の目的は、トレーの板厚を薄くしてもトレーの撓みが抑えられる電子部品収容用トレーを提供することにある。
【課題を解決するための手段】
【０００６】
本発明が対象とする電子部品収容用トレー６は、図５に示すごとく、トレー６の上板６ａに設けた収容部７に電子部品１を収容した状態で、上下複数段に積み重ねて使用する。ここでの電子部品１には、組電池や単体の円筒形電池やコンデンサーなどが該当する。
【０００７】
本発明では、図１および図２に示すごとく、トレー６の上板６ａの中央部から下方に向けて補強部１５が膨出形成されている。トレー６を積み重ねた際には、上段のトレー６の周縁部が下段のトレー６の周縁部で支持されるとともに、上段のトレー６の補強部１５の下端部が下段のトレー６の補強部１５の上端部で受け止め支持される。
【０００８】
具体的には、補強部１５は、図２および図３に示すごとく、上端面が開口する中空の筒状に形成される。トレー６の上板６ａの周縁部は、上板６ａの上側へ膨出した枠部１０と、上板６ａの下側へ垂設した周側板６ｂとを含み、周側板６ｂの上下中間に、係止部１２が内向きに膨出形成してある。トレー６を積み重ねた際には、図５に示すごとく、上段のトレー６の周側板６ｂの内側に下段のトレー６の枠部１０が入り込んで、下段のトレー６の枠部１０に上段のトレー６の係止部１２が載ることで、上段のトレー６の周縁部が下段のトレー６の周縁部で支持される。上段のトレー６の補強部１５の下端は、下段のトレー６の補強部１５の上端周縁で受け止められる。
【０００９】
補強部１５は、図１に示すごとく、トレー６の上板６ａの中央部において所定間隔をあけて複数個配されている。各補強部１５の周側板１５ａは、上板６ａから下方へ向けて垂直に延びている。
【００１０】
より具体的に説明すると、各補強部１５の周側板１５ａの断面が、図４に示すごとく、基礎円部１５ｂの周方向において４個の膨出円弧部１５ｃが等間隔をあけて外向きに膨出された形状に形成されている。
【００１１】
収容部７は、図１に示すごとく複数個形成される。トレー６の上板６ａには、横方向に延びる複数本の溝１３が形成されており、各溝１３は、各収容部７の横方向の両側からそれぞれ横向きに延びていて、溝１３で隣合う収容部７・７どうしが繋がるように形成されている。各溝１３は、図３に示すごとく収容部７よりも深くなるよう形成されている。
【発明の効果】
【００１２】
本発明によれば、上段のトレー６の周縁部が下段のトレー６の周縁部で支持されたうえで、電子部品１を収容した上段側のトレー６の重量が、上段側のトレー６の補強部１５を介して下段側のトレー６の補強部１５の上端部で受け止められる。これにより、トレー６の撓みが抑えられる。その結果、上段のトレー６が、下段のトレー６に収容された電子部品１に当たって、その重量で電子部品１が破損することなどをよく防止できる。
【００１３】
上段のトレー６の周側板６ｂの内側に下段のトレー６の枠部１０が入り込んで、下段のトレー６の枠部１０に上段のトレー６の係止部１２が載ると、上段のトレー６の周縁部を下段のトレー６の周縁部で支持した状態を確実に保持できる。したがって、下段のトレー６の補強部１５の上端周縁が、上段のトレー６の補強部１５の下端を確実に受け止め、トレー６の撓みを確実に抑えることができる。
【００１４】
補強部１５の周側板１５ａが垂直に延びていると、その周側板１５ａが傾斜している場合よりも撓み難くなって、上段側のトレー６の重量を補強部１５でしっかりと受け止めることができる。
【００１５】
補強部１５の周側板１５ａの断面形状が、基礎円部１５ｂと膨出円弧部１５ｃとで形成されていると、断面形状が単なる円形や四角形の場合に比べて補強部１５の剛性が向上して、補強部１５の周側板１５ａの板厚が薄くても、上段側のトレー６の重量を補強部１５でよりしっかりと受け止めることができる。
【００１６】
トレー６の上板６ａに溝１３が形成されていると、これによってもトレー６の剛性が向上して、補強部１５の周側板１５ａの板厚が薄くても、上段側のトレー６の重量を確実に受け止めることができる。
【発明を実施するための最良の形態】
【００１７】
図面は、本発明に係る電子部品収容用トレーの実施例を示しており、トレーに収容される電子部品としては組電池を例示した。組電池１は、図５に示すように、一対の円筒形電池２・２を縦向き姿勢で左右に並べて接続してあり、円筒形電池２・２にリード線３を介してコネクタ５が接続されている。円筒形電池２・２の外周面は、ポリスチレンテレフタレート樹脂（ＰＥＴ）などのフィルムで被覆される。
【００１８】
組電池１は、図１に示すごとく、トレー６の上板６ａにおいて縦横に並べて形成された複数個の収容部７に、それぞれ１個ずつ収容される。各収容部７は、図２および図３に示すごとく、トレー６の上板６ａに凹み形成してあり、各収容部７には組電池１の下半部のみが入り込む。この収容状態において、リード線３およびコネクタ５が配された組電池１の上半部は、収容部７の上側に突出する（図５参照）。
【００１９】
トレー６は、厚さ寸法が1.０mmのポリスチレン樹脂（ＰＳ）などで真空成形する。トレー６は、図１に示す平面視で長方形に形成されており、図５に示すごとく上下複数段に積み重ねて使用できる。各収容部７は、下側の断面積が小さくなるテーパー状に形成されている。
【００２０】
トレー６は、図２および図３に示すごとく、その上板６ａの周縁に沿って上側へ膨出する四角形の枠部１０と、この枠部１０の外側の縁から上板６ａの下側へ外拡がりテーパー状に垂設した周側板６ｂと、この周側板６ｂの下端に設けた鍔部１１とを有する。
【００２１】
トレー６の周側板６ｂの上下中間には、図１および図２に示すごとく、複数の係止部１２が内向きに膨出形成してある。トレー６の上板６ａには、横方向に延びる複数本の溝１３と、上板６ａの中央部から下方に向けて膨出形成した一対の補強部１５・１５とを設けてある。各係止部１２は、アンダーカット処理によってそれぞれ成形されており、傾斜板１２ａの下端に下板１２ｂが水平状に連続している。各補強部１５は、上端面が開口する中空の有底筒状に形成されている。
【００２２】
トレー６を積み重ねたときに、図５に示すごとく、上段のトレー６の周側板６ｂの内側に下段のトレー６の枠部１０が入り込んで、下段のトレー６の枠部１０に上段のトレー６の係止部１２が載ることで、上段のトレー６の周縁部が下段のトレー６の周縁部で支持される。
【００２３】
各溝１３は、図１に示すごとく、各収容部７の横方向の両側からそれぞれ横方向に延びていて、隣合う収容部７・７どうしが溝１３で繋がっている。各溝１３は、図３に示すごとく、収容部７よりも深くなるよう形成されており、溝１３を設けたことでトレー６の剛性が確保されている。
【００２４】
補強部１５・１５どうしは、図１および図２に示すごとく、縦方向に所定間隔をあけて配されており、各補強部１５の周側板１５ａは、トレー６の上板６ａから下方へ向けて垂直に延びている。各補強部１５の周側板１５ａの断面形状は、図４に示すごとく、基礎円部１５ｂの周方向において４個の膨出円弧部１５ｃが等間隔をあけて外向きに膨出形成されており、基礎円部１５ｂと４個の各膨出円弧部１５ｃとはそれぞれ滑らかに繋がっている。
【００２５】
各補強部１５の周側板１５ａが、基礎円部１５ｂと４個の膨出円弧部１５ｃとからなる断面形状に形成されていると、断面形状が単なる円形や四角形の場合に比べて各補強部１５の剛性が向上する。
【００２６】
トレー６を積み重ねたときには、図５に示すごとく、上段のトレー６の各補強部１５の下端の周縁が、下段のトレー６の各補強部１５の上端周縁に載って受け止められる。これにより、組電池１を収容した上段側のトレー６の重量は、上段側のトレー６の各補強部１５を介して下段側のトレー６の各補強部１５の上端部で受け止められる。
【００２７】
この場合、最下段のトレー６の各補強部１５は受け止めるものがないために、最下段のトレー６は下方に撓もうとするが、その際には最下段のトレー６の各補強部１５の底板１５ｄが載置面１６上に当たる。つまり、最下段のトレー６の撓みは、補強部１５の底板１５ｄから載置面１６までの小さい隙間の寸法内に規制される。
【００２８】
各補強部１５の周側板１５ａの板厚の厚さ寸法は1.０mmであって薄いが、前述のごとく周側板１５ａが垂直である分だけ補強部１５は撓み難い。各補強部１５の周側板１５ａは、基礎円部１５ｂと４個の膨出円弧部１５ｃとからなる断面形状であるので、その点からも補強部１５は撓み難い。
【００２９】
トレー６の上板６ａにおいて二つの補強部１５・１５は、間をあけて設けてあるので、その間のスペースにロボットの吸引具を吸着させて、このロボットでトレー６を搬送することができる。
【００３０】
図６において、各補強部１５の底板１５ｄは、これの中央を凹ませて、その凹み１７の下面がトレー６の下端面と面一になるように形成してもよい。この場合、最下段のトレー６の各補強部１５は、凹み１７の下面が載置面１６に当たって（図６の状態）、各補強部１５の底板１５ｄから載置面１６までに隙間が生じないために、最下段のトレー６が撓むことをより確実に防止する。
【００３１】
図７において、各補強部１５の上下高さ寸法を大きく設定して各補強部１５の底板１５ｄの下面がトレー６の下端面と面一になるように形成し、さらに各補強部１５の上端部を段差状に形成して、その段差１９の上面に上段側のトレー６の補強部１５の底板１５ｄが載るようにしてもよい。この場合にも、最下段のトレー６の各補強部１５の底板１５ｄから載置面１６までに隙間が生じないために、最下段のトレー６が撓むことをよく防止できる。
【００３２】
枠部１０は、トレー６の縦横の四辺の全てに形成してもよく、四辺のうちの三辺のみに形成してもよい。係止部１２は、トレー６の周側板６ｂの全域にわたって連続的に設けてもよいが、トレー６の強度の点から、図１に示すごとくトレー６の縦横の四辺に点在的に形成することが好ましい。
【００３３】
以上の実施例においては、電子部品として組電池を例に説明したが、この電子部品は単体の円筒形電池やコンデンサーなどであってもよい。
【図面の簡単な説明】
【００３４】
【図１】本発明に係る電子部品収容用トレーの平面図
【図２】図１のＡ−Ａ線断面図
【図３】図１のＢ−Ｂ線断面図
【図４】図３のＣ−Ｃ線断面図
【図５】トレーを積み重ねた状態を示す縦断側面図
【図６】トレーの補強部の別実施例を示す縦断側面図
【図７】トレーの補強部の別実施例を示す縦断側面図
【符号の説明】
【００３５】
１  組電池
６  トレー
７  収容部
１０  枠部
１２  係止部
１３  溝
１５  補強部
１５ｂ  基礎円部
１５ｃ  膨出円弧部
【図１】
2007145376.tif 000003
【図２】
2007145376.tif 000004
【図３】
2007145376.tif 000005
【図４】
2007145376.tif 000006
【図５】
2007145376.tif 000007
【図６】
2007145376.tif 000008
【図７】
2007145376.tif 000009